(57)【要約】【課題】  壁面とパイプ用換気扇との間に生じる隙間を塞ぎ、よりパイプ用換気扇の性能を向上させることができる、パイプ用換気扇の取付構造を提供すること。【解決手段】  家屋内の壁面に開口部２が設けられ、該開口部２に排気用のパイプ３を、その先端を突出させ設けるとともに、該開口部２周辺に当接され開口部２の周囲をを被装するプレート４を介してパイプ３とパイプ用換気扇１とを結合固定するとともに、該プレート４には前記パイプ３と係合する孔部４１が設けられるとともにプレート４を構成するプレート板４ａの壁面側に不陸調整材４ｂを設け、該不陸調整材４ｂでパイプ３先端の周囲を密閉したことを特徴とするパイプ用換気扇１の取付け構造である。【選択図】図１
2005321176.tif 000002
【特許請求の範囲】
【請求項１】
家屋内の壁面に開口部が設けられ、該開口部に排気用のパイプを、その先端を突出させ設けるとともに、該開口部周辺に当接され開口部の周囲を被装するプレートを介してパイプとパイプ用換気扇とを結合固定するとともに、該プレートには前記パイプと係合する孔部が設けられるとともにプレートを構成するプレート板の壁面側に不陸調整材を設け、該不陸調整材でパイプ先端の周囲を密閉したことを特徴とするパイプ用換気扇の取付け構造。
【請求項２】
プレートに設けられた孔部に、開口部から突出しているパイプの外側面と係合する密閉材を設けたことを特徴とする請求項１記載のパイプ用換気扇の取付け構造。
【請求項３】
プレートに予め設けられた通線孔を通して、壁面内を通って配線される配線コードをパイプ用換気扇に結線することを特徴とする請求項１または２に記載のパイプ用換気扇の取付け構造。
【発明の詳細な説明】
【技術分野】
【０００１】
本発明は、一般住宅や集合住宅に用いられ、居室の換気を行うためのパイプ用換気扇の取付け構造に関するものである。
【背景技術】
【０００２】
従来から、壁面に予め設けられている、壁を貫通してパイプを通し、該パイプの両端に開閉蓋を設ける換気部材が用いられていて、この換気部材に、開閉蓋に代えパイプに一部分を挿入するパイプ用換気扇を取付けて、より強制的に換気を行うことが行われている（例えば特許文献１、２など）。
【０００３】
特に、特許文献１に示されたものでは、パイプと開口部の周縁部との間との密着性を上げるために粘着テープを用い、ここに生ずる隙間を塞ぐようにしているが、その他の不陸（仕上げが不充分な場合や、例えば壁面に凹凸の大きな壁紙を貼る場合などもありうる）が生じた場合には対応できず、パイプ用換気扇の裏面部分と壁面との隙間から密閉性が損なわれるおそれがあり、場合によっては風きり音が生ずるなどの弊害も発生するおそれがあった。
【特許文献１】特開平５−７１６７２号公報
【特許文献２】特開平５−２８０７７７号公報
【発明の開示】
【発明が解決しようとする課題】
【０００４】
本願発明は、上記背景技術に鑑みて発明されたものであり、その課題は、壁面とパイプ用換気扇との間に生じる隙間を塞ぎ、よりパイプ用換気扇の性能を向上させることができる、パイプ用換気扇の取付構造を提供することである。
【課題を解決するための手段】
【０００５】
上記課題を解決するために、請求項１にかかる本願発明は、家屋内の壁面に開口部が設けられ、該開口部に排気用のパイプを、その先端を突出させ設けるとともに、該開口部周辺に当接され開口部の周囲を被装するプレートを介してパイプとパイプ用換気扇とを結合固定するとともに、該プレートには前記パイプと係合する孔部が設けられるとともに壁面側に不陸調整材を設け、該不陸調整材でパイプ先端の周囲を密閉したことを特徴とするパイプ用換気扇の取付け構造としている。
【０００６】
また請求項２にかかる本願発明は、プレートに設けられた孔部に、開口部から突出しているパイプの外側面と係合する密閉材を設けたことを特徴とする請求項１記載のパイプ用換気扇の取付け構造としている。
【０００７】
また請求項３にかかる本願発明は、プレートに予め設けられた通線孔を通して、壁面内を通って配線される配線コードをパイプ用換気扇に結線することを特徴とする請求項１または２に記載のパイプ用換気扇の取付け構造としている。
【発明の効果】
【０００８】
請求項１にかかる本願発明のパイプ用換気扇の取付け構造においては、排気用のパイプを、その先端を突出させ設け、プレートに設けた孔部と係合させるとともに、プレート板の壁面側に不陸調整材を設けてパイプ先端の周囲を密閉したことで、パイプ用換気扇の取付時に生じるおそれのある隙間を一体に塞ぐことができるようになった。
【０００９】
また請求項２にかかる本願発明のパイプ用換気扇の取付け構造においては、上記に加え、プレートの孔部とパイプとのクリアランスを多めにとっていて簡単に組み合わせることがきるようにしながら、取付状態でパイプの周囲を塞ぐことができるので、パイプと壁面との間の隙間を含めて閉塞することができる。
【００１０】
また請求項３にかかる本願発明のパイプ用換気扇の取付け構造においては、上記に加え、壁面内を通ってきた配線コードをプレートを貫通してパイプ用換気扇に接続することができるので、密着性と意匠性を損なうことがない。
【発明を実施するための最良の形態】
【００１１】
本願発明の最良の形態を図１及び図２に示される以下の実施例にて説明する。なお、図１は本実施例のパイプ用換気扇の取付構造を各部材を分解して示した斜視図で、図２は組み合わせた状態の内部構造を示した側断面図である。
【００１２】
本実施例は全ての請求項にかかる発明に関するもので、家屋内の壁面に開口部２が設けられ、該開口部２に排気用のパイプ３を、その先端を突出させ設けるとともに、該開口部２周辺に当接され開口部２の周囲を被装するプレート４を介してパイプ３とパイプ用換気扇１とを結合固定するとともに、該プレート４には前記パイプ３と係合する孔部４１が設けられるとともにプレート４を構成するプレート板４ａの壁面側に不陸調整材４ｂを設け、該不陸調整材４ｂでパイプ３先端の周囲を密閉したことを特徴とするパイプ用換気扇１の取付け構造となっている。
【００１３】
また、プレート４に設けられた孔部４１に、開口部２から突出しているパイプ３の外側面と係合する密閉材４２を設けている。そしてパイプ用換気扇１は、プレート４の形状と略同一の換気扇本体１１と、パイプ３内に挿入される換気扇駆動部１２とからなり、ビスでプレート４に設けられたビス孔５を通して壁面に固定される。またプレート４に予め設けられた通線孔７を通して、壁面内を通って配線される配線コードをパイプ用換気扇１に結線している。
【００１４】
このパイプ３は、壁面から先端を突出させているが、その突出量はプレート板４ａの厚さと同じか略短い程度でよい。これは短すぎると不陸調整材４ｂが圧縮されるとはいえ、パイプ３先端が孔部４１のプレート板部分にまで達しないので、所定の性能は確保できるものの、特に通線孔７の位置が合わせにくかったりし、取付けにくくなるおそれがあるためである。なお、突出量が長すぎると、プレート４を貫通して先端が出てしまい、パイプ用換気扇１に当たってしまうおそれがある。
【００１５】
またパイプ３は、一般には外壁に至るように設けられるが、例えば換気ダクトの一種として集中換気設備の一部分とすることも可能である。
【００１６】
プレート４は、略正方形の樹脂性のプレート板４ａと、該プレート板４ａの壁面側に弾性のある不陸調整材４ｂを貼着し、一体に孔部４１およびビス孔５及び通線孔７を設けている。このうちビス孔５は、略Ｌ字状に形成されていて、壁面に予め設けられたビス用孔６の位置がずれていても調整が効くようになっている。そしてビスを用いて換気扇本体１１の壁面側面の略全体で不陸調整材４ｂを圧縮し、壁面の不陸部分を含め該不陸調整材４ｂが壁面に密着するようにする。こうすることで少なくともパイプ３の周辺部分は密閉され、隙間をなくすことができる。
【００１７】
またプレート４には、予め孔部４１の内側面に密閉材４２を設けておき、パイプ３先端が孔部４１に挿入されることでプレート４とパイプ３との間に生ずるおそれのある隙間を塞ぐことができ、不陸調整材４ｂでパイプ３先端の周辺部分を塞ぐこととあいまって、さらに密閉性能が向上する。なお、パイプ３の先端で該密閉材４２を押しのけながら係合することになるので、パイプ３の先端端面にまで回りこんだように密閉材４２がパイプ３先端と係合することも期待でき、その場合さらに密閉性の向上が図れる。
【００１８】
パイプ用換気扇１は、図２にその概略断面が示されるように、上述の様に換気扇本体１１と換気扇駆動部１２とからなり、換気扇本体１１にはガラリ１６が形成されている。また換気扇駆動部１２には外殻の中に直流または交流のモータ１３が、外殻とモータ１３との間を通気空間とするように内装され、モータ１３の回転軸１４には羽根１５が取付けられている。そして羽根１５が回転することで、この通気空間を通して換気がなされる。
【００１９】
なお壁面内を配線コードが配設されてきて、壁面の通線孔７とプレートの通線孔７を通してパイプ用換気扇１と結線される。この結線はパイプ用換気扇１を壁面に取付ける前に行い、結線後該パイプ用換気扇１を本実施例のように固定する。
【図面の簡単な説明】
【００２０】
【図１】本願発明の一実施形態であるパイプ用換気扇の取付け構造を示す分解斜視図である。
【図２】同取付状態での概略側断面図である。
【００２１】
図である。
【符号の説明】
【００２２】
１  パイプ用換気扇
１１  換気扇本体
１２  換気扇駆動部
１３  モータ
１４  回転軸
１５  羽根
１６  ガラリ
２  開口部
３  パイプ
４  プレート
４ａ  プレート板
４ｂ  不陸調整材
４１  孔部
４２  密閉材
５  ビス孔
６  ビス用孔
７  通線孔
【図１】
2005321176.tif 000003
【図２】
2005321176.tif 000004